(57)【特許請求の範囲】
【請求項１】
鼻隠し板の屋外側の面に取り付けられる取付部と、軒樋を吊り下げ状態で支持する支持具本体と、支持具本体を取付部に連結するための連結部とを備えた軒樋支持具において、上記取付部と上記連結部とを別体で構成し、上記取付部に、後壁と前壁との間に側方に開口し且つ上端から下端に行く程屋外側に突出するように側面視で略円弧状に曲成された角度調整溝と、この角度調整溝の側面の開口側と反対側の奥側に形成された位置決め用凹部とを設け、上記連結部に、上記角度調整溝に側方から差し込まれる側面視で略円弧状に曲成された差込片と、この差込片と共に上記角度調整溝の前壁を前後から挟持する挟持片とを設け、上記差込片の先端部に上記位置決め用凹部に嵌合可能な位置決め用凸部を形成し、上記角度調整溝に対する上記差込片の側方からの差し込み位置を上記角度調整溝の周方向に段階的に変化可能とし且つ上記差し込み位置で上記位置決め用凹部と凸部が、上記角度調整溝に対する上記差込片の回り止めと抜け止めとを兼ねることを特徴とする軒樋支持具。
【発明の詳細な説明】
【技術分野】
【０００１】
本発明は、鼻隠し板に取着固定されて軒樋を支持する軒樋支持具に関するものである。
【背景技術】
【０００２】
軒樋を支持する軒樋支持具を鼻隠し板に取着固定するにあたり、一般に、軒樋支持具は鼻隠し板の屋外側の面に取り付けられる取付部と、軒樋を吊り下げ状態で支持する支持具本体と、支持具本体を取付部に連結するための連結部とを備えている。また鼻隠し板は、一般に種々な角度を有している。つまり、鼻隠し板は、略垂直な場合と、屋根勾配に応じて傾斜している場合とがある。そのため、軒樋を略水平に保持し得るようにするためには、鼻隠し板の勾配に応じて軒樋支持具の取付角度を調整する必要が生じる。ちなみに、屋根勾配とは、略水平面に対する傾斜の度合いをいい、その主な表し方として、略水平長さ１尺に対する立ち上がり分を寸単位で表した寸法勾配（０寸、３寸、４寸、５寸等）がある。
【０００３】
従来では、鼻隠し板の傾斜の度合いに応じて複数種類の軒樋支持具を品揃えして、現場で使い分けるようにしていた。そのために軒樋支持具の種類が増え、施工性が低下するだけでなく、異なる種類の軒樋支持具の加工が難しく且つ高価なものとなり、さらに在庫の増加、投資拡大を招いていた。
【０００４】
そこで、他の従来例として、軒樋支持具の取付部と連結部とをボルトで連結すると共に、連結部に設けられるボルト孔を長孔状に形成し、取付部に対して連結部をボルト孔に沿って回動させることで、連結部を取付部に対して角度調整可能とし、角度調整後にボルトを締め付けるようにした軒樋支持具が知られている（例えば特許文献１、特許文献２参照）。
【０００５】
ところが、上記特許文献１、２に示される従来例では、ボルトを緩めた状態で取付部に対して連結部を長孔状のボルト孔に沿わせて無段階で回動させて、連結部の角度調整を行なっているため、軒樋を略水平に保持し得る取付角度に調整することがきわめて難しく、特に傾斜した鼻隠し板に対する角度調整は困難を伴い、何度もボルトを緩めて角度を調整し直す必要が生じるなど、角度調整作業に熟練を要するといった課題を有していた。
【特許文献１】特開平９−２４２２７８号公報
【特許文献２】特開平８−１５８５６１号公報
【発明の開示】
【発明が解決しようとする課題】
【０００６】
本発明は上記の従来の問題点に鑑みて発明したものであって、軒樋を略水平に保持し得る取付角度となるように支持具本体の角度調整を段階的に行なうことができると共に、従来のようにボルトによる固定を行なわなくても、取付部と連結部との連結強度を十分に確保できるようにした軒樋支持具を提供することを課題とするものである。
【課題を解決するための手段】
【０００７】
前記課題を解決するために本発明にあっては、鼻隠し板１の屋外側Ａの面に取り付けられる取付部３と、軒樋を吊り下げ状態で支持する支持具本体５と、支持具本体５を取付部３に連結するための連結部４とを備えた軒樋支持具において、上記取付部３と連結部４とを別体で構成し、上記取付部３に、後壁１６と前壁１５との間に側方Ｄに開口し且つ上端から下端に行く程屋外側Ａに突出するように側面視で略円弧状に曲成された角度調整溝６と、この角度調整溝６の側面の開口側と反対側の奥側に形成された位置決め用凹部８とを設け、上記連結部４に、上記角度調整溝６に側方Ｄから差し込まれる側面視で略円弧状に曲成された差込片７と、この差込片７と共に上記角度調整溝６の前壁１５を前後から挟持する挟持片１７とを設け、上記差込片７の先端部に上記位置決め用凹部８に嵌合可能な位置決め用凸部９を形成し、上記角度調整溝６に対する上記差込片の側方Ｄからの差し込み位置を上記角度調整溝６の周方向に段階的に変化可能とし且つ上記差し込み位置で上記位置決め用凹部８と凸部９が、上記角度調整溝６に対する上記差込片７の回り止めと抜け止めとを兼ねることを特徴としている。
【０００８】
このような構成とすることで、角度調整溝６の側方Ｄから差込片７を差し込む際に、差込片７の側方Ｄからの差し込み位置を変えるだけで、軒樋を略水平に保持し得る取付角度となるように支持具本体５の角度調整を段階的に行なうことができるようになり、しかも角度調整後は位置決め用凹部８と凸部９が差込片７の回り止めと抜け止めとを兼ねることで、取付部３に対して連結部４をぐらつかずにしっかりと位置決め固定できるようになる。
【発明の効果】
【０００９】
本発明に係る軒樋支持具は、軒樋を略水平に保持し得る取付角度となるように支持具本体の角度調整を段階的に行なうことができると共に、角度調整後は位置決め用凹部と凸部が差込片の回り止めと抜け止めとを兼ねることで、取付部と連結部とを位置決め固定できるので、従来のようなボルトによる固定を行なわなくても、取付部と連結部との連結強度を十分に確保でき、鼻隠し板に対する軒樋支持具の取付強度を容易に高めることができるものである。
【発明を実施するための最良の形態】
【００１０】
以下、本発明を添付図面に示す実施形態に基いて説明する。
【００１１】
本実施形態の軒樋支持具２は、図１、図２に示すように、鼻隠し板１の屋外側Ａの面に取り付けられる取付部３と、軒樋を吊り下げ状態で支持する支持具本体５と、支持具本体５を取付部３に連結するための連結部４とを備えている。なお鼻隠し板１は、図３（ａ）に示すように、略垂直な場合と、図４（ａ）に示すように、屋根２０の勾配に応じて傾斜している場合とがある。
【００１２】
上記取付部３と連結部４は、例えばステンレス製とされ、別体で構成されている。
【００１３】
ここで、取付部３は、図１に示すように、鼻隠し板１に固定されるボルト孔１３を有するベース部１４を備えると共に、ベース部１４の屋外側Ａの面には、上端から下端に行く程屋外側Ａに突出するように側面視で略円弧状に曲成された後壁１６が形成されている。さらに、後壁１６の屋外側Ａには、後壁１６と略同心円状に曲成された前壁１５が形成され、これら後壁１６と前壁１５との間が、側方Ｄに開口し且つ側面視で略円弧状に曲成された角度調整溝６となっている。本例の角度調整溝６は支持具本体５の中心部を中心とする円弧状に形成されていると共にその上下両端面はそれぞれ開放されている。また角度調整溝６の側面の開口側と反対側の奥側には、位置決め用凹部８が周方向Ｅに間隔をあけて複数形成されている。さらに本例では、ステンレス製の前壁１５全体が凹部８部分を支点にして屋外側Ａに向かって撓み可能となっている。
【００１４】
一方、連結部４は、角度調整溝６に側方Ｄから差し込まれる差込片７と、差込片７と共に角度調整溝６の前壁１５を前後から挟持する挟持片１７とを備えている。これら差込片７と挟持片１７は、それぞれ、角度調整溝６と略同心円状に曲成されている。差込片７の先端部には、上記角度調整溝６の凹部８に嵌合可能な位置決め用凸部９が周方向Ｅに間隔をあけて複数形成されており、これら凹凸部８，９が角度調整溝６に対する差込片７の回り止めと抜け止めとを兼ねるようになっている。つまり、位置決め用凹凸部８，９は、角度調整溝６に対する差込片７の側方Ｄからの差し込み位置を角度調整溝６の周方向Ｅに段階的に変化可能とし且つ差込片７を当該差し込み位置で位置決めする働きをする。なお凹部８、凸部９の数は図示では４個を例示しているが、もちろんこれに限定されず、適宜変更自在である。
【００１５】
次に、鼻隠し板１に軒樋支持具２を取り付けるにあたって、図３（ａ）のように鼻隠し板１が略垂直な場合は、取付部３に付された目盛の０寸に合わせて差込片７を側方Ｄ（図３の紙面に対して垂直方向）から差し込むことで、支持具本体５の取付角度が軒樋を略水平に保持し得る適切な角度となる。一方、図４（ａ）のように鼻隠し板１が傾斜している場合において、屋根２０が例えば３寸勾配の場合は目盛の３寸位置に合わせて差込片７を差し込む。また４寸勾配の場合は目盛の４寸位置に合わせて差込片７を差し込む。これにより、鼻隠し板１の勾配に応じて差込片７の側方Ｄからの差し込み位置を段階的に変えるだけで、軒樋を略水平に保持し得る取付角度に調整できる。また差込片７を角度調整溝６に差し込む際には、差込片７の凸部９が角度調整溝６の前壁１５を屋外側Ａに撓ませることで、差込片７が角度調整溝６の奥まで差し込まれて凹部８と嵌合できるようになる（図３（ｂ）、図４（ｂ）の状態）。これにより差込片７はその位置で回り止めされ且つ抜け止めされた状態となる。
【００１６】
しかして、上記のように角度調整溝６の側方Ｄから差込片７を差し込む際に、側方Ｄからの差し込み位置を変えるだけで、鼻隠し板１に対する支持具本体５の相対角度を変化させることができる。つまり図３（ｂ）或いは図４（ｂ）のように、差込片７の差し込み位置位置を変えるだけで、鼻隠し板１と支持具本体５との間の距離が変化しないようにしながら、軒樋を略水平に保持し得る取付角度に段階的に調整可能となる。従って、従来のような無段階調整方式と異なり、熟練者でなくても、支持具本体５の角度調整作業を容易且つ精度良く行なうことができるものである。
【００１７】
また、位置決め用凹凸部８，９によって角度調整溝６に対して差込片７が回り止めされ且つ抜け止め状態となるので、取付部３に対して連結部４をぐらつかずにしっかりと位置決め固定でき、従来のようにボルトを用いることなく、鼻隠し板１に対する軒樋支持具２の取付強度が確保される。そのうえ図２に示すように、角度調整溝６の前壁１５は連結部４の差込片７と挟持片１７とで前後から挟持されるため、連結部４と取付部３との連結強度も強まり、結果、暴風時や地震時等に軒樋支持具２に大きな外力がかかった場合でも十分に耐えられる構造となる。
【００１８】
また、１種類の軒樋支持具２で、鼻隠し板１の様々な勾配に対応できるので、施工性が良く、しかも異なる種類の軒樋支持具を各種品揃えする必要がないため、生産性の向上、コストダウン、在庫の軽減、投資抑制を図ることができる。
【００１９】
また本例では、屋根勾配に応じた目盛（０寸、３寸、４寸、５寸等）を取付部３側に付してあるので、差込片７の適切な差し込み位置を数字で把握でき、施工性が一段と向上するものであり、しかもボルト締め作業やボルト締結用工具類も一切省略できるので、高所での軒樋支持具２の取り付け作業を簡易に且つ安全に行なうことができ、そのうえボルトやナットを用いないため、軒樋支持具２の外観がすっきりとし、鼻隠し板１と軒樋支持具２との連続した一体感が得られるなど、美観が向上する利点もある。
【００２０】
なお、前記実施形態では、位置決め用凹凸部８，９が差込片７の回り止めと抜け止めとを兼ねる場合を説明したが、本発明の参考例として、回り止めと抜け防止とを別々の部位で行なうことも可能である。その一例を図５〜図７に示す。
【００２１】
図５は、連結部４の差込片７の先端に抜け止め用凸部１０を周方向Ｅに設けると共に、角度調整溝６の奥側に抜け止め用凹部１１を周方向Ｅに設けている。さらに角度調整溝６の前壁１５の側端面に回り止め用凸部９を周方向Ｅに複数設けると共に、凸部９と対向する連結部４の奥面に回り止め用凹部８を周方向Ｅに複数設けている。なお角度調整溝６の前壁１５が凹部８部分を支点にして屋外側Ａに向かって撓み可能となっている点は図１の実施形態と同様である。本例では差込片７を角度調整溝６に挿入すると抜け止め用凸部１０が凹部１１に嵌合して側方Ｄに対して抜け止めされると同時に、回り止め用凸部９が凹部８に嵌合することで、差込片７が周方向Ｅに対して回り止めされた状態となる。
【００２２】
図６は、連結部４の挟持片１７の先端にＬ形フック１２を設け、Ｌ形フック１２を取付部３の外側面３ａに対して外側から引っ掛け可能としている。さらに、取付部３の外側面３ａに回り止め用凸部９を周方向Ｅに複数設けると共に、外側面３ａと対向するＬ形フック１２の内側面１２ａに回り止め用凹部８を周方向Ｅに複数設けている。本例では、差込片７を角度調整溝６の奥まで挿入した際、差込片７の付け根部分７ａを支点にしてＬ形フック１２が屋外側Ａに撓みながら取付部３の外側面３ａに引っ掛かった状態となり、差込片７が側方Ｄに対して抜け止めされると同時に回り止め用凸部９が凹部８に嵌合することで、差込片７が周方向Ｅに対して回り止めされた状態となる。
【００２３】
図７は、連結部４の差込片７の先端に凸部１０を周方向Ｅに設けると共に、角度調整溝６の奥に凹部１１を周方向Ｅに設けている。さらに角度調整溝６の前壁１５の後面に横長凹部８を周方向Ｅに間隔をあけて複数設け、差込片７の前面に上記横長凸部９と側方Ｄから嵌合可能な横長凸部９を周方向Ｅに間隔をあけて複数設けている。なお角度調整溝６の前壁１５が凹部１１部分を支点にして屋外側Ａに向かって撓み可能となっている点は図１の実施形態と同様である。本例では、差込片７を角度調整溝６に挿入したとき、横長凸部９が横長凹部８に嵌合して差込片７が周方向Ｅに対して回り止めされた状態となり、また同時に凸部１０が凹部１１に嵌合して、差込片７が側方Ｄに対して抜け止めされた状態となる。
【００２４】
上記図５〜図７の各実施形態において、前記図１の実施形態と同様、角度調整溝６の側方Ｄから差込片７を差し込む際に、軒樋を略水平に保持し得る取付角度となるように支持具本体５の角度調整を段階的に且つ精度良く行なうことができる効果に加えて、差込片７の回り止めと抜け止めとを別々の部位で行なうことにより、差込片７の抜けようとする力と回ろうとする力とが分散されて１個所に集中することがなくなるので、取付部３と連結部４との位置決め強度をより向上させることができる利点がある。
【図面の簡単な説明】
【００２５】
【図１】本発明の一実施形態の軒樋支持具を説明する分解斜視図である。
【図２】同上の軒樋支持具の組み立て状態の斜視図である。
【図３】（ａ）は垂直な鼻隠し板に軒樋支持具を取り付けた状態の側面図、（ｂ）は（ａ）の位置決め用凹凸部の嵌合状態を説明する側面断面図である。
【図４】（ａ）は勾配を有する鼻隠し板に軒樋支持具を取り付けた状態の側面図、（ｂ）は（ａ）の位置決め用凹凸部の嵌合状態を説明する側面断面図である。
【図５】本発明の参考例の分解斜視図である。
【図６】本発明の他の参考例の分解斜視図である。
【図７】本発明の更に他の参考例の分解斜視図である。
【符号の説明】
【００２６】
１  鼻隠し板
２  軒樋支持具
３  取付部
４  連結部
５  支持具本体
６  角度調整溝
７  差込片
Ｄ  側方
【図１】
0004548258.tif 000002
【図２】
0004548258.tif 000003
【図３】
0004548258.tif 000004
【図４】
0004548258.tif 000005
【図５】
0004548258.tif 000006
【図６】
0004548258.tif 000007
【図７】
0004548258.tif 000008